【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
患者の治療的冷却のためのシステムであって、
ストラップと穴とを有するマスクを含み、前記マスクは、前記マスクが患者の顔に載ると、患者の顔の少なくとも一部と前記マスクとの間にスペースが存在するように、少なくとも患者の鼻を覆うとともに前記ストラップによって患者の頭に対して保持されるように適合され、前記システムはさらに、
圧縮された呼吸可能なガスから本質的になる冷媒の源を含み、流路が前記源から前記マスクの前記穴を通るよう延在し、前記システムはさらに、
前記冷媒の源と前記マスクの前記穴との間において前記流路中に存在するレギュレータと、
前記冷媒のための前記流路の少なくとも一部を規定する内腔を有する、前記冷媒を前記マスクに向かって運ぶための送達チューブとを含み、
前記冷媒は、前記源からの解放の際または解放の後、断熱的に冷却される、システム。
【請求項２】
前記源は、圧縮された呼吸可能なガスのキャニスタである、請求項１に記載のシステム。
【請求項３】
前記送達チューブに接続される第１および第２の挿入チューブをさらに含み、前記第１および第２の挿入チューブの各々は、開口部を有するそれぞれの自由端へと延在し、前記挿入チューブは、前記自由端が患者の鼻の前鼻甲介領域を超えて気道において位置決めされ、そのため前記ガスが前記挿入チューブを出る前に前記鼻の粘膜と甲介とを通過するように患者の鼻のそれぞれの鼻孔へと挿入されるようサイズ決めおよび構成され、
前記送達チューブおよび少なくとも１つの挿入チューブの少なくとも１つは、前記少なくとも１つの挿入チューブが患者の鼻の中に挿入される際に前記マスクが患者の顔に載るように前記マスクの前記穴を通って延在する、請求項１に記載のシステム。
【請求項４】
前記送達チューブの構成された条件は、発泡断熱材料の前記送達チューブを形成することを含む、請求項１に記載のシステム。
【請求項５】
前記送達チューブの構成された条件は、発泡断熱材料の外層を有するプラスチック内腔の前記送達チューブを形成することを含む、請求項１に記載のシステム。
【請求項６】
前記源は２つの圧縮ガスキャニスタを含み、前記システムはさらに前記送達チューブと前記キャニスタの各々とに接続されるＹ字型コネクタを含む、請求項１に記載のシステム。
【請求項７】
前記源は、２つの圧縮ガスキャニスタを含み、前記システムはさらに前記キャニスタの各々と前記送達チューブとに接続される２ウェイの止め栓を含む、請求項１に記載のシステム。
【請求項８】
前記レギュレータは、前記レギュレータの出力が前記マスクの前記穴に連通し、そのため前記レギュレータからの断熱的に冷却されたガスが前記マスクに入るように前記マスクに固定される、請求項１に記載のシステム。
【請求項９】
前記送達チューブは、前記源から前記レギュレータへの高圧チューブである、請求項８に記載のシステム。
【請求項１０】
前記マスクは、患者の目を覆うように適合される、請求項７に記載のシステム。
【請求項１１】
前記マスクはフルフェイスマスクである、請求項７に記載のシステム。
【請求項１２】
前記マスクは、患者の口を覆うように適合される、請求項７に記載のシステム。
【請求項１３】
前記送達チューブ、レギュレータ、およびマスクのうち１つ以上に接続されるセンサと、前記センサに通信可能に接続される読取部とをさらに含み、前記読取部は、前記冷媒の温度および圧力の少なくとも１つの表示を提供する、請求項１に記載のシステム。
【請求項１４】
前記読取部は前記マスクに固定され、前記マスクは、患者に装着されると患者の目の観察を可能にし、前記患者の目および前記読取部は両方とも、前記マスクが前記患者に装着されている際に、観察者の視野にある、請求項１３に記載のシステム。
【請求項１５】
圧縮ガスによって脳を冷却するためのシステムであって、
患者の頭における組織との熱伝達のための圧縮された呼吸可能なガスの供給部を含み、前記ガスは最初は大気圧よりも大きな第１の圧力にて少なくとも１つのキャニスタにおいて与えられ、前記システムはさらに、
少なくとも患者の鼻および目を覆うように患者の顔の上に装着するためのマスクを含み、前記マスクは、前記マスクに装着されたレギュレータを有し、前記システムはさらに、
前記少なくとも１つのキャニスタを前記レギュレータに接続する高圧送達チューブを含み、前記送達チューブは、前記送達チューブに沿って移動するガスが前記チューブに沿ってほぼ同じ温度のままであるように構成され、
前記ガスは、室温を下回る第１の温度まで断熱的に冷却され、前記ガスは、前記マスクの中にほぼ前記第１の温度で流れ込み、脳腔に隣接する組織を冷却する、システム。
【請求項１６】
少なくとも部分的に前記マスクの中に存在する第１および第２の鼻チューブのセットをさらに含み、前記鼻チューブの各々は、患者のそれぞれの鼻孔内への挿入のためのものであり、前記第１および第２の鼻チューブの各々はそれぞれの穴を有するそれぞれの遠位端を有し、前記第１および第２の鼻チューブの各々は、前記第１および第２の鼻チューブが患者の中に完全に挿入されると、前記それぞれの遠位端が、いずれの鼻孔を通る気道を閉じることなく患者の後鼻孔の１つ以上に位置決めされるようにサイズ決めおよび構成される、請求項１５に記載のシステム。
【請求項１７】
前記第１の温度は、０℃と２０℃との間である、請求項１５に記載のシステム。
【請求項１８】
呼吸可能なガスの前記供給部は、約１℃〜５℃だけ脳の少なくとも一部を冷却するのに、フロー、温度、および継続時間において十分である、請求項１７に記載のシステム。
【請求項１９】
前記供給部は、圧縮ガスの複数のキャニスタによって提供され、送達チューブは複数のキャニスタからのフローを容易に受け入れるよう適合される、請求項１７に記載のシステム。
【請求項２０】
前記送達チューブは止め栓に接続され、前記止め栓は圧縮ガスの前記複数のキャニスタに接続され、前記止め栓は、前記複数のキャニスタの間で、前記送達チューブへのフローを切り替えるよう動作可能である、請求項１９に記載のシステム。
【請求項２１】
前記送達チューブの構成された条件は、前記送達チューブ内または上に統合される断熱層を含む、請求項１５に記載のシステム。
【請求項２２】
前記送達チューブにおける流量と前記ガスの温度の少なくとも１つを検出するための少なくとも１つのセンサと、前記少なくとも１つのセンサに通信可能に接続される、前記センサから導出される情報を表示するための少なくとも１つの読取部とをさらに含み、前記読取部は前記マスクに固定される、請求項１５に記載のシステム。
【請求項２３】
局所的な低体温治療を適用するための冷却システムであって、
呼吸可能なガスから本質的になる熱伝達媒体を含み、前記ガスは、大気圧より大きな圧力にて少なくとも１つのキャニスタにおいて供給され、前記冷却システムはさらに、
前記キャニスタに接続される送達チューブを含み、前記送達チューブは、前記ガスが、前記長さに沿って前記ガスの温度における有意な変化なく前記送達チューブに沿って移動可能であるように構成され、前記冷却システムはさらに、
前記レギュレータの出力が前記マスク内に流れ込むように前記送達チューブに接続されるレギュレータを有するマスクを含み、前記マスクはさらに、前記マスクに取り付けられた読取ディスプレイを有し、前記読取ディスプレイは、システムの動作に関する情報を示し、前記冷却システムはさらに、
前記送達チューブに接続される止め栓を含み、前記止め栓は、第１の前記キャニスタから第２の前記キャニスタへ、前記送達チューブの中へのフローを変更するよう動作可能である、冷却システム。
【請求項２４】
前記キャニスタは、前記システムが緊急応答者によって患者まで携行可能であるように、手で持ち運び可能なサイズおよび重量である、請求項２３に記載のシステム。
【請求項２５】
前記送達チューブの構成された条件は、前記送達チューブが完全に発泡断熱材料から形成されることを含む、請求項２３に記載のシステム。
【請求項２６】
前記送達チューブに接続される対の挿入チューブをさらに含み、前記対の挿入チューブは、前記挿入チューブの各々のそれぞれの遠位端が、前記挿入チューブが完全に患者に挿入される際に患者の後鼻孔に存在するようにサイズ決めおよび構成され、前記挿入チューブの各々は、前記挿入チューブの前記それぞれの遠位端に単一の出口を有することにより、前記ガスは前記チューブを一方向から出る、請求項２３に記載のシステム。
【手続補正２】
【補正対象書類名】明細書
【補正対象項目名】発明の名称
【補正方法】変更
【補正の内容】
【発明の名称】脳の冷却のためのシステム